(57)【要約】      （修正有）【課題】オシメを確実に抱持できて、横漏れのないストッキング利用のオムツカバーを提供する。【解決手段】ストッキングの各脚部を、重畳した腹部に、それぞれ取付け、各脚部で、それぞれ擬似ループ部を形成するとともに、各擬似ループ部を絞込み可能に構成し、この絞込みで、各脚部の上部と、腹部とで人の足挿入用の各ループ部を形成するとともに、ループ部と、腹部で、人が装着したオムツを抱持可能とするストッキング利用のオムツカバーである。圧迫感がなく、かつ尿漏れがない。【選択図】図６
0003163893.tif 000002
【実用新案登録請求の範囲】
【請求項１】
ストッキングの各脚部を、重畳した腹部に、それぞれ取付けることで、この各脚部で、それぞれ擬似ループ部を形成するとともに、この各擬似ループ部を絞込み可能に構成し、
この各擬似ループ部の絞込みで、前記各脚部の上部と、前記腹部とで人の足挿入用の各ループ部を形成するとともに、この各ループ部と、前記腹部で、人が装着したオムツを抱持可能とする構成としたストッキング利用のオムツカバー。
【請求項２】
請求項１に記載のストッキング利用のオムツカバーであって、
前記各脚部を、重畳した腹部に、それぞれ取付け可能な構成において、この重畳した腹部に開設した各孔、又は各リングに、各脚部の足部位をそれぞれ挿入し、各脚部の大腿部位から膝部位でなる表面側と、この各脚部の膝部位からふくらはぎ部位でなる裏面側とにより前記各擬似ループ部をそれぞれ形成し、この各擬似ループ部の絞込みで、前記各脚部の上部と、前記腹部とで人の足挿入用の前記各ループ部を形成するとともに、この各ループ部と、前記腹部で、人が装着したオムツを抱持可能とする構成としたストッキング利用のオムツカバー。
【請求項３】
請求項２に記載のストッキング利用のオムツカバーであって、
前記重畳した腹部に開設した各孔、又は各リングは、この腹部の前側に開設する構成とし、この各孔に、各脚部の足部位をそれぞれ挿入するに際し、前記腹部の後側を跨ぐようにして挿入する構成としたストッキング利用のオムツカバー。
【請求項４】
請求項２に記載のストッキング利用のオムツカバーであって、
前記各孔に挿入した前記足部位と、膝部位と、ふくらはぎ部位とを、腹部の前側で結束することで絞込みする構成としたストッキング利用のオムツカバー。
【考案の詳細な説明】
【技術分野】
【０００１】
本考案は、ストッキング利用のオムツカバーであり、さらに詳しくは、オシメを確実に抱持できて、横漏れのないストッキング利用のオムツカバーに関する。
【背景技術】
【０００２】
従来、ストッキング（パンテイストキング）を利用した各種の多目的な装身具（下着、オムツカバー、又は身体の所定部位での装着用被服）は、市場では、見聞できない。しかし、分野は異なるが、一部において、使用済みのストッキングは、清掃時において、活用されていること、或いは、塵取りの用の網代替品とか、濾過部材等としての利用が行われている。
【０００３】
そこで、本考案が意図する、ストッキングを利用した各種の多目的な装身具に関して、以下、先行文献の一部を、列挙する。
【０００４】
その文献（１）は、特開２００６−１０４６４２の「女性用下着及びその製造方法」であり、この発明は、身体各部位、例えば、上腕、肩、アンダーバスト等の引締めを意図するものであり、ストッキングを各部位に切断し、例えば、ストッキングを膝部で横断し、第１の部分片（脚挿入部）と、第２の部分片（腹部）を形成し、この第１の部分片は、肩と上腕に装着（被覆）し、また、第２の部分片は、ウエスト及び下腹部に装着することで、この各部位を、適当な圧力で引締める構成であり、体のシルエット線を整えることと、無理なく着用できるボディスーツを提供すること、等を意図する。
【０００５】
また、文献（２）は、特開２００５−１１３３３８の「女性用下着及びその製造方法」であり、この発明は、パンティストッキングの腹部を切断するとともに、脚部等を展開し、この展開した各パート片を、肩部や胸部に縫着し、女性用の上部下着を成形する方法であり、その特徴は、前述の文献（１）に準ずる。
【０００６】
さらに、文献（３）は、特開２００１−３２９４０１の「パンティストッキング、パンティガードルなどの下着及びこれを用いた失禁用品」であり、この発明は、パンティストッキングの内股部に、失禁ライナーを取付けた構造であり、失禁の回避と、安心して外出できる失禁用品を提供する。
【０００７】
【特許文献１】特開２００６−１０４６４２
【特許文献２】特開２００５−１１３３３８
【特許文献３】特開２００１−３２９４０１
【考案の概要】
【考案が解決しようとする課題】
【０００８】
以上で説明した、文献（１）、（２）は、何れも、パンティストッキングを加工して、下着を製造すること、装着時の違和感を無くすこと、又はそれなりの引締め感を達成可能すること、等を意図する。従って、パンティストッキングを、潰し、その一部を利用する構成であり、利用価値が少ないこと、又はパンティストッキングの全体を利用する構成でなく、その有用性に劣ること、等が考えられる。
【０００９】
また、文献（３）は、パンティストッキングに付帯的な素材を設け、この素材の特性を利用する構成であり、パンティストッキングの有効利用を図るものとは考えられない。
【００１０】
以上のことから、本考案は、この種のパンティストッキング（ストッキング）を有効利用し、かつこのストッキングの有する特徴を活用することを意図する。また、今までにない、この種のストッキングの活用を図ることにある。さらに、障害者に優しい、ストッキング活用のオムツカバーを提供する。
【課題を解決するための手段】
【００１１】
請求項１の考案は、前述した、ストッキングを有効利用し、かつこのストッキングの有する特徴を活用することを意図する。また、今までにない、この種のストッキングの活用を図ることにある。さらに、障害者に優しい、ストッキング活用のオムツカバーを提供する。そして、また、尿漏れのないオムツカバーを提供する。
【００１２】
請求項１は、ストッキングの各脚部を、重畳した腹部に、それぞれ取付けることで、この各脚部で、それぞれ擬似ループ部を形成するとともに、この各擬似ループ部を絞込み可能に構成し、
この各擬似ループ部の絞込みで、前記各脚部の上部と、前記腹部とで人の足挿入用の各ループ部を形成するとともに、この各ループ部と、前記腹部で、人が装着したオムツを抱持可能とする構成としたストッキング利用のオムツカバーである。
【００１３】
請求項２の考案は、請求項１に記載の意図を達成すること、又はストッキングを利用したオムツカバーとしての最適な構成と、その取扱いが簡易なオムツカバーを提供する。
【００１４】
請求項２は、請求項１に記載のストッキング利用のオムツカバーであって、
前記各脚部を、重畳した腹部に、それぞれ取付け可能な構成において、この重畳した腹部に開設した各孔、又は各リングに、各脚部の足部位をそれぞれ挿入し、各脚部の大腿部位から膝部位でなる表面側と、この各脚部の膝部位からふくらはぎ部位でなる裏面側とにより前記各擬似ループ部をそれぞれ形成し、この各擬似ループ部の絞込みで、前記各脚部の上部と、前記腹部とで人の足挿入用の前記各ループ部を形成するとともに、この各ループ部と、前記腹部で、人が装着したオムツを抱持可能とする構成としたストッキング利用のオムツカバーである。
【００１５】
請求項３の考案は、請求項２に記載の意図を達成すること、又はストッキングを利用したオムツカバーとしての最適な構成の提供と、脚部の足部位を挿入する各孔を開設するに最適な、部位を特定すること、等を意図する。
【００１６】
請求項３は、請求項２に記載のストッキング利用のオムツカバーであって、
前記重畳した腹部に開設した各孔、又は各リングは、この腹部の前側に開設する構成とし、この各孔に、各脚部の足部位をそれぞれ挿入するに際し、前記腹部の後側を跨ぐようにして挿入する構成としたストッキング利用のオムツカバーである。
【００１７】
請求項４の考案は、請求項２に記載の意図を達成すること、又はストッキングを利用したオムツカバーとしての最適な構成の提供と、各擬似ループ部を絞込み、人の脚を挿入するに最適な、各ループ部を形成すること、等を意図する。
【００１８】
請求項４は、請求項２に記載のストッキング利用のオムツカバーであって、
前記各孔に挿入した前記足部位と、膝部位と、ふくらはぎ部位とを、腹部の前側で結束することで絞込みする構成としたストッキング利用のオムツカバーである。
【考案の効果】
【００１９】
請求項１の考案は、ストッキングの各脚部を、重畳した腹部に、それぞれ取付けることで、各脚部で、それぞれ擬似ループ部を形成するとともに、各擬似ループ部を絞込み可能に構成し、
各擬似ループ部の絞込みで、各脚部の上部と、腹部とで人の足挿入用の各ループ部を形成するとともに、各ループ部と、腹部で、人が装着したオムツを抱持可能とする構成としたストッキング利用のオムツカバーである。
【００２０】
従って、請求項１は、ストッキングを有効利用し、かつこのストッキングの有する特徴を活用できる特徴がある。また、今までにない、この種のストッキングの活用が図れる。さらに、障害者に優しい、ストッキング活用のオムツカバーを提供できる。そして、また、尿漏れのないオムツカバーを提供できる。
【００２１】
請求項２の考案は、請求項１に記載のストッキング利用のオムツカバーであって、
各脚部を、重畳した腹部に、それぞれ取付け可能な構成において、重畳した腹部に開設した各孔、又は各リングに、各脚部の足部位をそれぞれ挿入し、各脚部の大腿部位から膝部位でなる表面側と、各脚部の膝部位からふくらはぎ部位でなる裏面側とにより各擬似ループ部をそれぞれ形成し、各擬似ループ部の絞込みで、各脚部の上部と、腹部とで人の足挿入用の各ループ部を形成するとともに、各ループ部と、腹部で、人が装着したオムツを抱持可能とする構成としたストッキング利用のオムツカバーである。
【００２２】
従って、請求項２は、請求項１に記載の意図を達成できること、又はストッキングを利用したオムツカバーとしての最適な構成と、その取扱いが簡易なオムツカバーを提供できる。
【００２３】
請求項３の考案は、請求項２に記載のストッキング利用のオムツカバーであって、
重畳した腹部に開設した各孔、又は各リングは、腹部の前側に開設する構成とし、各孔に、各脚部の足部位をそれぞれ挿入するに際し、腹部の後側を跨ぐようにして挿入する構成としたストッキング利用のオムツカバーである。
【００２４】
従って、請求項３は、請求項２に記載の意図を達成できること、又はストッキングを利用したオムツカバーとしての最適な構成の提供と、脚部の足部位を挿入する各孔を開設するに最適な、部位を特定できること、等の特徴を有する。
【００２５】
請求項４の考案は、請求項２に記載のストッキング利用のオムツカバーであって、
各孔に挿入した前記足部位と、膝部位と、ふくらはぎ部位とを、腹部の前側で結束することで絞込みする構成としたストッキング利用のオムツカバーである。
【００２６】
従って、請求項３の考案は、請求項２に記載の意図を達成できること、又はストッキングを利用したオムツカバーとしての最適な構成の提供と、各擬似ループ部を絞込み、人の脚を挿入するに最適な、各ループ部を形成できること、等の特徴を有する。
【図面の簡単な説明】
【００２７】
【図１】本考案のストッキングの全体の斜視図
【図２】ストッキングの腹部の前側に開設した各孔、又は各リングに、脚部の足部位を挿入し、擬似ループ部を形成した状態の斜視図
【図３】図２に示した擬似ループ部を絞込み、脚部の足部位とふくらはぎ部位を緊締し、ループ部を形成した状態の斜視図
【図４】図３で緊締した足部位とふくらはぎ部位を、腹部の前後側を重畳して形成された袋部に、挿入し、体裁と解れ防止を図り、オムツカバーとした状態の斜視図
【図５】図４の俯瞰図
【図６】オムツカバーを使用した状態の模式図
【考案を実施するための形態】
【００２８】
図中１はストッキング（パンティストッキング）で、このストッキング１は、一般の構造と同様であり、人Ｈの下部Ｈ１に装着される腹部２と、この腹部２に一体に編成された各脚部３とで構成する。この腹部２は、前側２ａ（前身頃）と、後側２ｂ（後身頃）とで形成されており、上部開放の袋部となっている。また、各脚部３は、左右の大腿部位３００、３００（以下、左右で対の場合は、各大腿部位３００とする）と、各膝部位３０１と、その下側の各ふくらはぎ部位３０２と、各足部位３０３とで構成される。尚、この各足部位３０３は、各足首部位３０３ａと、各足先部位３０３ｂとで構成する。
【００２９】
また、ストッキング１として通常の使用では、この各大腿部位３００には、人Ｈの大腿部（符号付さず）を、各膝部位３０１には、その膝部（符号付さず）を、また、各ふくらはぎ部位３０２には、そのふくらはぎ部（符号付さず）を、さらに、各足部位３０３には、その足首部（符号付さず）と足先部（符号付さず）を、それぞれ装着する。
【００３０】
腹部２の前側２ａには、対の孔５（各孔５とする）を開設する。尚、孔５に代えて、腹部２の前側２ａに設けたリング、係止具等で、各脚部３の差込みと緊張ができる構造であれば、可能であり、この孔５と同異語である。この一実施例では、孔５で説明する。そして、この孔５では、低コスト化と、簡便化が図れる。また、リングでは、装飾効果と、高級感覚がある。
【００３１】
以下、腹部２に、各孔５を有するストッキング１をオムツカバー６として活用する、好ましい、一実施例を説明すると、図２の如く、重畳した腹部２の各孔５に、先ず、各足部位３０３をそれぞれ挿入する（各脚部３を、重畳した腹部２に、それぞれ取付ける。一例である）。これにより、擬似ループ部Ａが形成される。
【００３２】
そして、この擬似ループ部Ａを、ループ部Ｂにするために、図３の如く、各足部位３０３をそれぞれ絞込み（引張し）、この各孔５に各大腿部位３００が略挿入された状態を確認した段階で、挿入済の各足部位３０３と、各ふくらはぎ部位３０２、並びに各膝部位３０１と、各大腿部位３００の一部を、結束する（緊締する）。これにより、足Ｈ２挿入用のループ部Ｂが、腹部２の後側２ｂに形成される。また、必要により、図４の如く、結束した各脚部３（各足部位３０３と、各ふくらはぎ部位３０２、並びに各膝部位３０１と、各大腿部位３００の一部）が邪魔となることを考え、この結束した各脚部３を、腹部２の前後側２ａ、２ｂとの重畳部に差入れる。この際に、図５の如く、結束した各脚部３が、腹部２の後側２ｂを跨ぐようにして、差入れる。
【００３３】
以上の所作で、オムツ７を収容できるオムツカバー６が形成されるので、このオムツカバー６を、オムツ７を付けた人Ｈに装着する。その好ましい一例を説明すると、例えば、オムツ７を付けた人Ｈに、このオムツカバー６を装着するには、先ず、前記各ループ部Ｂに、足Ｈ２の先部（足先、及び足首）を差込み、この各ループ部Ｂを、人Ｈの大腿部Ｈ３に近づけると、これに伴って、腹部２が、人Ｈの下部Ｈ１に向かって引上げられる。この引上げられた過程で、腹部２の後側２ｂと、各大腿部位３００とで、オムツ７の前後を、抱持しつつ、このオムツカバー６が人Ｈに装着される。
【００３４】
そして、この抱持と、装着の状態は、このストッキング１の有する弾性と、編成特徴を享受できるので、例えば、弾性的に、かつ適宜の緊張感で、気持ちよく（圧迫感なく）、抱持されるとともに、装着される特徴がある。また、その装着時において、人Ｈの動きがあっても、このストッキング１のズレとか脱落がなく、オムツ７を付けた（装着した）、障害者、幼児、又は健常者の全てが、安心して動作とか、寝返り等の動きができること、また、健常者が装着した場合には、日常の動きから、散歩、外出等の如く、全ての動作が可能である。殊に、人Ｈの大腿部Ｈ３を、弾性的に、かつ適宜の緊張感をもって抱持することで、尿漏れの解消と、臭気の拡散防止等にも有効である。尚、図示しないが、オムツ７を付けない、下着（図示せず）の上から、このオムツカバー６を装着することで、前述の使用と、同じ効果と特徴が期待できる。
【００３５】
また、ループ部Ｂを狭くし、人Ｈの下部Ｈ１を緊締することで、ダイエット効果と、疾病回復効果等も期待できる。
【００３６】
このオムツカバー６の取外しは、オムツカバー６を、足Ｈ２に添って下げ、ループ部Ｂを、足Ｈ２より外して行なう方法と、重畳した腹部２より、結束箇所を抜出し、この結束解除で行なう方法等が考えられる。
【符号の説明】
【００３７】
１          ストッキング
２          腹部
２ａ        前側
２ｂ        後側
３          脚部
３００      大腿部位
３０１      膝部位
３０２      ふくらはぎ部位
３０３      足部位
３０３ａ    足首部位
３０３ｂ    足先部位
５          孔
６          オムツカバー
７          オムツ
Ｈ          人
Ｈ１        下部
Ｈ２        足
Ｈ３        大腿部
Ａ          擬似ループ部
Ｂ          ループ部
【図１】
0003163893.tif 000003
【図２】
0003163893.tif 000004
【図３】
0003163893.tif 000005
【図４】
0003163893.tif 000006
【図５】
0003163893.tif 000007
【図６】
0003163893.tif 000008